(57)【特許請求の範囲】
【請求項１】
基板に多数の支持支柱が配設されたベース部材と、該ベース部材に配設された支持支柱に載置される上板部材とからなるオフィスフロア・ユニットであって、略正方形状の天板と該天板の周縁に垂設された周側壁とを有する前記上板部材の各側壁の中央部には、２本の割りスリットが形成された湾曲壁を有する中央部嵌合凹部が形成されているとともに、前記上板部材の角部には、１本の嵌合スリットが形成された湾曲壁を有する角部嵌合凹部が形成されており、また、前記天板の裏面に、前記周側壁を構成する互いに直角な側壁の中央部に形成された前記中央部嵌合凹部の湾曲壁に形成された割りスリットに連結された折曲支点溝を形成することにより、前記上板部材の略三角形状の角部領域が、前記折曲支点溝を支点に、折曲することができるように構成されており、更に、前記ベース部材の基板には、円筒状頭部と環状天板と円筒状基部とからなる筒状支持支柱、半円筒状頭部と半環状天板と半円筒状基部とからなる半筒状支持支柱及び四半分円筒状頭部と四半分環状天板と四半分円筒状基部とからなる四半分筒状支持支柱が立設されており、前記ベース部材と前記上板部材とを床基礎に設置した際には、前記上板部材に形成された中央部嵌合凹部或いは角部嵌合凹部に、前記ベース部材の基板に立設された前記筒状支持支柱の円筒状頭部或いは前記半筒状支持支柱の半円筒状頭部又は前記四半分筒状支持支柱の四半分円筒状頭部が嵌合されるように構成されているとともに、前記上板部材が、前記筒状支持支柱の環状天板、前記半筒状支持支柱の半環状天板及び前記四半分筒状支持支柱の四半分環状天板に載置されるように構成されており、更に、前記中央部嵌合凹部を構成する湾曲壁に形成された割りスリット或いは前記角部嵌合凹部を構成する湾曲壁に形成された嵌合スリットに、前記筒状支持支柱の円筒状頭部と環状天板との隅部に形成された嵌合リブ或いは前記半筒状支持支柱の半円筒状頭部と半環状天板との隅部に形成された嵌合リブ又は前記四半分筒状支持支柱の四半分円筒状頭部と四半分環状天板との隅部に形成された嵌合リブが、嵌合するように構成されていることを特徴とするオフィスフロア・ユニット。
【発明の詳細な説明】
【０００１】
【発明の属する技術分野】
本発明は、コンクリート等で形成された床基礎に配設されるオフィスフロア・ユニットに関するものである。
【０００２】
【従来の技術】
従来、床基礎に配設される合成樹脂製のベース部材と、該ベース部材の支持支柱に載置される合成樹脂製の上板部材とからなるオフィスフロア・ユニットが知られている。
【０００３】
【発明が解決しようとする課題】
上述した従来のオフィスフロア・ユニットにおいては、床基礎に凹凸があり、ベース部材の支持支柱の上端が不揃いになると、支持支柱の上端に載置される上板部材に弾性がないために、上板部材がガタつくという問題があった。
【０００４】
また、従来のオフィスフロア・ユニットにおいては、ベース部材の支持支柱に対して、支持支柱に載置される上板部材が、水平状に回動し、安定した状態で、上板部材が載置できないという問題があった。
【０００５】
更に、従来のオフィスフロア・ユニットにおいては、ベース部材に配置されるコンセントや光ケーブル等に対する配慮が充分になされていないために、コンセントや光ケーブル等が移動し易く、損傷し易いという問題があった。
【０００６】
本発明は、上述した従来のオフィスフロア・ユニットが有する課題を解決するとともに、その設置作業の作業性が向上したオフィスフロア・ユニットを提供することにある。
【０００７】
【課題を解決するための手段】
本発明は、上述した目的を達成するために、基板に多数の支持支柱が配設されたベース部材と、該ベース部材に配設された支持支柱に載置される上板部材とからなるオフィスフロア・ユニットであって、略正方形状の天板と該天板の周縁に垂設された周側壁とを有する前記上板部材の各側壁の中央部には、２本の割りスリットが形成された湾曲壁を有する中央部嵌合凹部が形成されているとともに、前記上板部材の角部には、１本の嵌合スリットが形成された湾曲壁を有する角部嵌合凹部が形成されており、また、前記天板の裏面に、前記周側壁を構成する互いに直角な側壁の中央部に形成された前記中央部嵌合凹部の湾曲壁に形成された割りスリットに連結された折曲支点溝を形成することにより、前記上板部材の略三角形状の角部領域が、前記折曲支点溝を支点に、折曲することができるように構成されており、更に、前記ベース部材の基板には、円筒状頭部と環状天板と円筒状基部とからなる筒状支持支柱、半円筒状頭部と半環状天板と半円筒状基部とからなる半筒状支持支柱及び四半分円筒状頭部と四半分環状天板と四半分円筒状基部とからなる四半分筒状支持支柱が立設されており、前記ベース部材と前記上板部材とを床基礎に設置した際には、前記上板部材に形成された中央部嵌合凹部或いは角部嵌合凹部に、前記ベース部材の基板に立設された前記筒状支持支柱の円筒状頭部或いは前記半筒状支持支柱の半円筒状頭部又は前記四半分筒状支持支柱の四半分円筒状頭部が嵌合されるように構成されているとともに、前記上板部材が、前記筒状支持支柱の環状天板、前記半筒状支持支柱の半環状天板及び前記四半分筒状支持支柱の四半分環状天板に載置されるように構成されており、更に、前記中央部嵌合凹部を構成する湾曲壁に形成された割りスリット或いは前記角部嵌合凹部を構成する湾曲壁に形成された嵌合スリットに、前記筒状支持支柱の円筒状頭部と環状天板との隅部に形成された嵌合リブ或いは前記半筒状支持支柱の半円筒状頭部と半環状天板との隅部に形成された嵌合リブ又は前記四半分筒状支持支柱の四半分円筒状頭部と四半分環状天板との隅部に形成された嵌合リブが、嵌合するように構成したものである。
【０００８】
【実施例】
以下に、本発明の実施例について説明するが、本発明の趣旨を越えない限り何ら、本実施例に限定されるものではない。
【０００９】
先ず最初に、図１〜図８を用いて、オフィスフロア・ユニットを構成するベース部材Ｂについて説明する。
【００１０】
１は、平面形状が、略正方形状の基板であり、２は、基板１に立設された筒状支持支柱である。筒状支持支柱２は、円筒状基部２ａと、円筒状基部２ａの環状天板２ａ１の内周縁に沿って立設された、天板２ｂ１を有する円筒状頭部２ｂとを有している。円筒状頭部２ｂの周面と環状天板２ａ１とで形成される隅部には、円周方向に９０度間隔で、合計４個の嵌合リブ２ｃが形成されている。筒状支持支柱２は、その内部が空洞に形成されているとともに、円筒状基部２ａの底部に相当する基板１には、円形状底孔１ａが形成されている。なお、後述するように、嵌合リブ２ｃを形成していない筒状支持支柱２もあり、更に、円筒状基部２ａの中程より下方には、外周面を一周するように、周状凹部２ａ２が形成されている。
【００１１】
３は、上述した筒状支持支柱２を縦に半分に切断した形状の半筒状支持支柱である。筒状支持支柱２の円筒状基部２ａに対応する半筒状支持支柱３の部分を、半円筒状基部３ａと称し、また、筒状支持支柱２の環状天板２ａ１に対応する半筒状支持支柱３の部分を、半環状天板３ａ１と称し、更に、筒状支持支柱２の円筒状頭部２ｂに対応する半筒状支持支柱３の部分を、半円筒状頭部３ｂと称し、更には、筒状支持支柱２の天板２ｂ１に対応する半筒状支持支柱３の部分を、半円状天板３ｂ１と称する。また、切断面には、凸状の側壁３ｃが形成されている。筒状支持支柱２と同様に、半筒状支持支柱３は、その内部が空洞に形成されているとともに、半筒状支持支柱３の底部に相当する基板１には、半円形状底孔１ｂが形成されている。なお、上述した筒状支持支柱２と同様に、筒状支持支柱２の嵌合リブ２ｃと同じ嵌合リブ３ｄが２個形成されている半筒状支持支柱３と、このような嵌合リブ３ｄが形成されていない半筒状支持支柱３があり、更に、筒状支持支柱２の円筒状基部２ａと同様に、半円筒状基部３ａの中程より下方には、半周状凹部３ａ２が形成されている。
【００１２】
４は、上述した筒状支持支柱２を縦に４半分（９０度ずつの４分割）に切断した形状の四半分筒状支持支柱である。筒状支持支柱２の円筒状基部２ａに対応する四半分筒状支持支柱４の部分を、四半分円筒状基部４ａと称し、また、筒状支持支柱２の環状天板２ａ１に対応する四半分筒状支持支柱４の部分を、四半分環状天板４ａ１と称し、更に、筒状支持支柱２の円筒状頭部２ｂに対応する四半分筒状支持支柱４の部分を、四半分円筒状頭部４ｂと称し、更には、筒状支持支柱２の天板２ｂ１に対応する四半分筒状支持支柱４の部分を、四半分円状天板４ｂ１と称する。また、切断面には、互いに直角な側壁４ｃが形成されている。筒状支持支柱２や半筒状支持支柱３と同様に、四半分筒状支持支柱４は、その内部が空洞に形成されているとともに、四半分筒状支持支柱４の底部に相当する基板１には、四半分円形状底孔１ｃが形成されている。更に、四半分環状天板４ａ１と四半分円筒状頭部４ｂとで形成される隅部には、筒状支持支柱２の嵌合リブ２ｃと同様の嵌合リブ４ｄが１個、四半分環状天板４ａ１の中央に形成されているとともに、筒状支持支柱２の円筒状基部２ａや半筒状支持支柱３の半円筒状基部３ａと同様に、四半分円筒状基部４ａの中程より下方には、四半分状凹部４ａ２が形成されている。
【００１３】
なお、上述した筒状支持支柱２の円筒状頭部２ｂの高さ（環状天板２ａ１の上面から、円筒状頭部２ｂの天板２ｂ１の上面までの距離）、半筒状支持支柱３の半円筒状頭部３ｂの高さ（半環状天板３ａ１の上面から、半円筒状頭部３ｂの半円状天板３ｂ１の上面までの距離）及び四半分筒状支持支柱４の四半分円筒状頭部４ｂの高さ（四半分環状天板４ａ１の上面から、四半分円筒状頭部４ｂの四半分円状天板４ｂ１の上面までの距離）は、全て同じ高さに形成されている。
【００１４】
５は、平面形状が、略Ｌ字状の棒状支持支柱であり、棒状支持支柱５の隅部には、基板１から上方に延在する三角形状の補強リブ５ａが形成されている。棒状支持支柱５の上端面５ｂは、筒状支持支柱２の環状天板２ａ１の上面、半筒状支持支柱３の半環状天板３ａ１の上面及び四半分筒状支持支柱４の四半分環状天板４ａ１の上面と、同じ高さに形成されている。
【００１５】
６は、基板１に形成された円形状透孔であり、７は、円形状透孔６より小径の円形状透孔である。以下、円形状透孔６を、大円形状透孔と称し、大円形状透孔６より小径の円形状透孔７を、小径円形状透孔と称する。また、８は、大円形状透孔６の半分より、若干、小さな半円形状透孔である。
【００１６】
以下に、上述した筒状支持支柱２、半筒状支持支柱３、四半分筒状支持支柱４、棒状支持支柱５、大円形状透孔６、小径円形状透孔７及び半円形状透孔８の配置の一例について説明する。
【００１７】
略正方形状の基板１を、基板１の周縁１ｄに平行な複数の枡目線Ｌにより、碁盤のように、基板１の周縁１ｄに沿って、複数個の枡目Ａに仮想分割する。本実施例には、基板１の一方の相対する周縁１ｄ１が、７本の枡目線Ｌにより近等分割され、また、基板１のもう一方の相対する周縁１ｄ２が、同じく、７本の枡目線Ｌにより近等分割された例が示されており、従って、基板１の一方の相対する周縁１ｄ１に沿って、８個の枡目Ａが配置し、基板１のもう一方の相対する周縁１ｄ２に沿って、同様に、８個の枡目Ａが配置し、合計６４個の枡目Ａが形成されている。なお、実際には、このような枡目線Ｌや枡目Ａは形成されておらず、本発明の都合上、記載したものである。
【００１８】
そして、本実施例においては、縦横４個ずつ、合計１６個の枡目Ａの大きさを有する、換言すれば、基板１の四分の一（１／４）の大きさを有する後述する略正方形状の上板部材Ｐが、上述した筒状支持支柱２、半筒状支持支柱４、四半分筒状支持支柱４及び棒状支持支柱５の何れかにより支持されるように構成されている。
【００１９】
基板１の４つの角部には、上述した１個の嵌合リブ４ｄが形成された四半分筒状支持支柱４を、その側壁４ｃが、基板１の周縁１ｄと平行になるように配置する。基板１の一方の相対する周縁１ｄ１と、周縁１ｄ１の中央に位置する枡目線Ｌとの交差部には、それぞれ、２個の嵌合リブ３ｄが形成された半筒状支持支柱３が配置され、また、基板１の４つの角部に配置された四半分筒状支持支柱４と、上記の周縁１ｄ１の中央に配置された半筒状支持支柱３との中央には、嵌合リブ３ｄが形成されていない半筒状支持支柱３が配置されている。同様に、基板１のもう一方の相対する周縁１ｄ２と、周縁１ｄ２の中央に位置する枡目線Ｌとの交差部には、それぞれ、２個の嵌合リブ３ｄが形成された半筒状支持支柱３が配置され、また、基板１の４つの角部に配置された四半分筒状支持支柱４と、上記の周縁１ｄ２の中央に配置された半筒状支持支柱３との中央には、嵌合リブ３ｄが形成されていない半筒状支持支柱３が配置されている。このように、一方の相対する周縁１ｄ１ともう一方の相対する周縁１ｄ２とからなる周縁１ｄには、その４つの角部に、それぞれ、１個の嵌合リブ４ｄが形成された四半分筒状支持支柱４が配置され、上記の角部から、１つ置きに位置する枡目線Ｌと周縁１ｄとの交差部には、半筒状支持支柱３が配置されている。従って、基板１の周縁１ｄに沿って、その角部に配置された４個の四半分筒状支持支柱４と、周縁１ｄに沿った２個の四半分筒状支持支柱４間に均等に配置された３個の半筒状支持支柱３とが配置されていることになる。
【００２０】
また、一方の相対する周縁１ｄ１の中心を結ぶ枡目線（以下、この枡目線を、中央枡目線と称する。）Ｌｃと、もう一方の相対する周縁１ｄ２の中心を結ぶ枡目線（以下、同様に、この枡目線も、中央枡目線と称する。）Ｌｃ’との交点、即ち、基板１の中心点Ｃ１には、４個の嵌合リブ２ｃが形成された筒状支持支柱２が配置されている。更に、もう一方の周縁１ｄ２に平行な中央枡目線Ｌｃ上の、基板１の中心点Ｃ１に配置された筒状支持支柱２と、一方の相対する周縁１ｄ１の中央に配置された半筒状支持支柱３との中央には、嵌合リブ２ｃが形成されていない筒状支持支柱２が配置されている。同様に、一方の相対する周縁１ｄ１に平行な中央枡目線Ｌｃ’上の、基板１の中心点Ｃ１に配置された筒状支持支柱２と、もう一方の相対する周縁１ｄ２の中央に配置された半筒状支持支柱３との中央には、嵌合リブ２ｃが形成されていない筒状支持支柱２が配置されている。このように、２本の中央枡目線Ｌｃ、Ｌｃ’には、その中心に、４個の嵌合リブ２ｃが形成された筒状支持支柱２が配置され、その両端に、それぞれ半筒状支持支柱３が配置され、中心に配置された筒状支持支柱２と両端に配置された半筒状支持支柱３との中央には、嵌合リブ２ｃが形成されていない筒状支持支柱２が配置されている。従って、各中央枡目線Ｌｃ、Ｌｃ’上には、その両端に配置された２個の半筒状支持支柱３と、この２個の半筒状支持支柱３間に均等に配置された３個の筒状支持支柱２とが配置されていることになる。
【００２１】
筒状支持支柱２及び半筒状支持支柱３が配置されていない枡目線（以下、このような枡目線を、説明の都合上、便宜的に、支柱無し枡目線と称し、符号Ｌｎを用いる。）Ｌｎ同士の交点（以下、このような交点を、説明の都合上、便宜的に、支柱中央交点と称し、符号Ｊｃを用いる。）Ｊｃの周りで、且つ、隣り合う支柱無し枡目線Ｌｎの中央には、換言すれば、直角に交差する支柱無し枡目線Ｌｎに対して４５度の位置に、４個の略Ｌ字状の棒状支持支柱５が配置されている。４個の棒状支持支柱５のうち、３個の棒状支持支柱５は、その角部５ｃが、支柱無し枡目線Ｌｎの支柱中央交点Ｊｃ方向を向いているとともに、略Ｌ字状の棒状支持支柱５を構成する板状の壁面５ｄが、支柱無し枡目線Ｌｎに平行になるように、且つ、支柱無し枡目線Ｌｎの支柱中央交点Ｊｃから棒状支持支柱５の角部５ｃまでの距離Ｄ１が同じになるように配置されている。４個の棒状支持支柱５のうち、１個の棒状支持支柱５は、支柱無し枡目線Ｌｎの支柱中央交点Ｊｃ側に、略Ｌ字状の棒状支持支柱５の隅部５ｅが位置するように配置されている。以下、このように、支柱中央交点Ｊｃ側に、略Ｌ字状の棒状支持支柱５の隅部５ｅが位置するように配置された棒状支持支柱５を、便宜的に、反転棒状支持支柱と称し、符号５’を用いる。
【００２２】
上述した筒状支持支柱２及び半筒状支持支柱３が配置されていない支柱無し枡目線Ｌｎは、基板１の周縁１ｄと、筒状支持支柱２や半筒状支持支柱３が配置されている枡目線（以下、このような枡目線を、説明の都合上、便宜的に、支柱有り枡目線と称し、符号Ｌｓを用いるが、上述した中央枡目線Ｌｃ、Ｌｃ’にも、筒状支持支柱２や半筒状支持支柱３が配置されているので、支柱有り枡目線ということになる。）Ｌｓとの間、及び、支柱有り枡目線Ｌｓと、支柱有り枡目線Ｌｓとしての中央枡目線Ｌｃ、Ｌｃ’との間に位置している。そして、中央枡目線Ｌｃ、Ｌｃ’を含め支柱有り枡目線Ｌｓ同士の交点（以下、このような交点を、説明の都合上、便宜的に、支柱有り交点と称し、符号Ｊｓを用いる。）Ｊｓは、支柱有り交点Ｊｓの周囲に位置する４個の枡目Ａにより構成される正方形の中心に位置し、この正方形の４つの角部には、支柱中央交点Ｊｃが位置しており、従って、支柱有り交点Ｊｓは、正方形の対角に位置する支柱中央交点Ｊｓを、それぞれ結ぶ２本の対角線の交点と一致している。
【００２３】
上述した支柱中央交点Ｊｃの周りに配置された４個の略Ｌ字状の棒状支持支柱５のうち、１個の反転棒状支持支柱５’同士は、上述した支柱有り交点Ｊｓを中心に、４個、配置されているとともに、隣り合う支柱有り枡目線Ｌｓの中央に、換言すれば、直角に交差する支柱有り枡目線Ｌｓに対して４５度の位置にされている。即ち、支柱中央交点Ｊｃの周りに配置された４個の略Ｌ字状の棒状支持支柱５のうち、１個の反転棒状支持支柱５’は、その角部５ｃが、それぞれ、支柱有り交点Ｊｓの方向を向くように配置されている。また、支柱有り交点Ｊｓの周りに配置された４個の反転棒状支持支柱５’の角部５ｃは、全て、支柱有り交点Ｊｓからの距離Ｄ２が同じになるように配置されている。
【００２４】
上述した支柱有り枡目線Ｌｓと支柱無し枡目線Ｌｎの交点Ｊｍを中心として、該交点Ｊｍ付近の基板１には、大円形状透孔６が形成されており、また、支柱中央交点Ｊｃを中心として、支柱中央交点Ｊｃ付近の基板１には、小径円形状透孔７が形成されている。更に、基板１の角部に形成された四半分筒状支持支柱４と基板１の周縁１ｄに沿って配置された半筒状支持支柱３との間、及び、基板１の周縁１ｄに沿って配置された半筒状支持支柱３間に位置する基板１には、それぞれ、半円形状透孔８が配置されている。
【００２５】
９は、支柱無し枡目線Ｌｎに沿って、適宜、適当な長さに亘たって形成された切断溝であり、このような切断溝９に沿って、ベース部材Ｂを切断することにより、ベース部材Ｂの切断が容易になる。
【００２６】
次に、図９〜図１１を用いて、オフィスフロア・ユニットを構成する上板部材Ｐについて説明する。
【００２７】
上板部材Ｐは、平面形状が略正方形に形成されており、本実施例には、一例として、縦横４個ずつ、合計１６個の枡目Ａの大きさ、換言すれば、基板１の四分の一（１／４）の大きさを有している。
【００２８】
１０は、天板であり、天板１０の周縁１０ａからは、垂直状に周側壁１１が垂設されており、周側壁１１は、４面の側壁１１ａから構成されている。この周側壁１１の高さ（天板１０の上面１０ｂから、側壁１１ａの下端１１ａ１までの距離）Ｈ１は、上述した筒状支持支柱２の円筒状頭部２ｂの高さ（環状天板２ａ１の上面から、円筒状頭部２ｂの天板２ｂ１の上面までの距離）や、半筒状支持支柱３の半円筒状頭部３ｂの高さ（半環状天板３ａ１の上面から、半円筒状頭部３ｂの半円状天板３ｂ１の上面までの距離）や、四半分筒状支持支柱４の四半分円筒状頭部４ｂの高さ（四半分環状天板４ａ１の上面から、四半分円筒状頭部４ｂの四半分円状天板４ｂ１の上面までの距離）と、同じ高さか、若干、高くなるように、構成されている。
【００２９】
周側壁１１を構成する各側壁１１ａの中央部には、半円柱状の中央部嵌合凹部１２が形成されており、この中央部嵌合凹部１２は、側壁１１ａの中央部を、天板１０の中央方向に凹ますことにより形成されており、側壁１１ａの中央部には、側壁１１ａを、天板１０の中央方向に凹ますことにより形成された、円筒を半分に縦割りした形状の湾曲壁１３が形成されている。この中央部嵌合凹部１２には、上板部材Ｐが、ベース部材Ｂに載置された際に、ベース部材Ｂの筒状支持支柱２の円筒状頭部２ｂ、半筒状支持支柱３の半円筒状頭部３ｂ及び四半分筒状支持支柱４の四半分円筒状頭部４ｂが嵌合されるように構成されている。
【００３０】
また、周側壁１１を構成する各側壁１１ａの適当な箇所には、側壁１１ａを、天板１０の中央方向に凹ますことにより形成されてたコード取り出し用凹部１４が形成されており、側壁１１ａには、側壁１１ａを、天板１０の中央方向に凹ますことにより形成された湾曲壁１５が形成されている。この湾曲壁１５は、略半円筒状の垂直部１５ａと、湾曲壁１５の上方に形成されたテーパー部１５ｂとを有している。複数の上板部材Ｐをベース部材Ｂに載置した場合には、隣接する上板部材Ｐのコード取り出し用凹部１４により、略円柱状の空間が形成され、この略円柱状の空間に、ベース部材Ｂの基板１に配線された電気コードや光通信コード等の各種コードが挿入され、このような各種コードが、適当なＯＡ機器に接続されることになる。上記のように、コード取り出し用凹部１４を構成する湾曲壁１５の上方には、テーパー部１５ｂが形成されているので、コードが、このテーパー部１５ｂに沿って引き出されるので、コードの引き出しが容易になるとともに、コードが、テーパー部１５ｂに沿って配置されるので、コードが、上板部材Ｐの上面から大きく突出するようなことがなく、更には、コードが損傷するようなことを防止することができる。なお、本実施例には、コード取り出し用凹部１４が、側壁１１ａの中央部に形成された中央部嵌合凹部１２と上板部材Ｐの角部との中央に配設されている例が示されている。
【００３１】
上板部材Ｐの４つの角部に位置する側壁１１ａにも、側壁１１ａを、天板１０の中央方向に凹ますことにより角部嵌合凹部１６が形成されており、角部に位置する側壁１１ａには、側壁１１ａを、天板１０の中央方向に凹ますことにより形成された湾曲壁１７が形成されている。この角部嵌合凹部１６には、上述した中央部嵌合凹部１２と同様に、上板部材Ｐが、ベース部材Ｂに載置された際に、ベース部材Ｂの筒状支持支柱２の円筒状頭部２ｂ、半筒状支持支柱３の半円筒状頭部３ｂ及び四半分筒状支持支柱４の四半分円筒状頭部４ｂが嵌合されるように構成されている。
【００３２】
天板１０の裏面には、天板１０の対角方向に、所定の間隔を置いて延在する２本の対角リブ１８が垂設されており、この対角リブ１８は、上述した上板部材Ｐの４つの角部に形成された角部嵌合凹部１６を構成する湾曲壁１７を連結するように構成されている。
【００３３】
また、天板１０の裏面には、上述した周側壁１１を構成する各側壁１１ａの中央部に形成された半円柱状の中央部嵌合凹部１２を構成する湾曲壁１３のうち、相対する側壁１１ａに形成された湾曲壁１３を連結する、周側壁１１に略平行で、且つ、所定の間隔を置いて延在する２本の対向側壁連結リブ１９が垂設されている。更に、天板１０の裏面には、角部嵌合凹部１６を構成する湾曲壁１７を挟んで位置する、互いに直角な側壁１１ａに形成された湾曲壁１３を連結する、周側壁１１に対して傾斜し、且つ、所定の間隔を置いて延在する２本の直交側壁連結リブ２０が、４組、垂設されている。
【００３４】
更に、天板１０の裏面には、周側壁１１を構成する各側壁１１ａの適当な箇所に形成されたコード取り出し用凹部１４を構成する湾曲壁１５のうち、相対する側壁１１ａに形成された湾曲壁１５を連結する、周側壁１１に略平行で、且つ、所定の間隔を置いて延在する２本の対向側壁連結リブ２１が垂設されている。
【００３５】
更にまた、天板１０の裏面には、天板１０の中心点Ｃに対して、同心円的に垂設された円筒状リブ２２が、適当数、形成されている。
【００３６】
上述した対角リブ１８や対向側壁連結リブ１９や直交側壁連結リブ２０や対向側壁連結リブ２１や円筒状リブ２２は、上板部材Ｐの強度や剛性を高めるために形成されたものであり、天板１０の裏面には、必要に応じて、上板部材Ｐの更なる補強目的で、他のリブを垂設することができる。なお、上記の天板１０の裏面に垂設された対角リブ１８や対向側壁連結リブ１９や直交側壁連結リブ２０や対向側壁連結リブ２１や円筒状リブ２２等のリブの下端は、全て、周側壁１１の下端と面一になるように構成されている。
【００３７】
周側壁１１を構成する各側壁１１ａの中央部に形成された半円柱状の中央部嵌合凹部１２を構成する湾曲壁１３には、湾曲壁１３の下端から天板１０まで延在する２本の割りスリット１３ａが形成されている。また、上板部材Ｐの４つの角部に位置する周側壁１１に形成された角部嵌合凹部１６を構成する湾曲壁１７の中央部にも、湾曲壁１７の下端から天板１０方向に延在する１本の嵌合スリット１７ａが形成されており、この嵌合スリット１７ａには、上述したベース部材Ｂの筒状支持支柱２に形成された嵌合リブ２ｃや、半筒状支持支柱３に形成された嵌合リブ３ｄや、四半分筒状支持支柱４に形成された嵌合リブ４ｄが嵌合するように構成されている。このように、上板部材Ｐに形成された嵌合スリット１７ａに、ベース部材Ｂの筒状支持支柱２に形成された嵌合リブ２ｃや、半筒状支持支柱３に形成された嵌合リブ３ｄや、四半分筒状支持支柱４に形成された嵌合リブ４ｄが嵌合するように構成することにより、上板部材Ｐが、ベース部材Ｂに対して、水平方向に移動したり、水平回動し、ガタつくようなことを防止することができる。
【００３８】
角部嵌合凹部１６を構成する湾曲壁１７を挟んで位置する、互いに直角な側壁１１ａに形成された湾曲壁１３を連結する、周側壁１１に対して傾斜し、且つ、所定の間隔を置いて延在する２本の直交側壁連結リブ２０の間に位置する天板１０の裏面には、直交側壁連結リブ２０に略平行で、且つ、周側壁１１を構成する各側壁１１ａの中央部に形成された半円柱状の中央部嵌合凹部１２を構成する湾曲壁１３に形成された割りスリット１３ａに連結された折曲支点溝２３が形成されている。このような折曲支点溝２３を形成することにより、角部嵌合凹部１６を構成する湾曲壁１７を挟んで位置する、互いに直角な側壁１１ａと、折曲支点溝２３とにより囲まれた上板部材Ｐの略三角形状の角部領域Ｐ’が、折曲支点溝２３を支点に、折曲することができるので、ベース部材Ｂが、凹凸のある床基礎に載置され、上板部材Ｐが載置される筒状支持支柱２の環状天板２ａ１や半筒状支持支柱３の半環状天板３ａ１や四半分筒状支持支柱４の四半分環状天板４ａ１や棒状支持支柱５の上端面５ｂに、多少のデコボコがあっても、上板部材Ｐが、筒状支持支柱２の環状天板２ａ１や半筒状支持支柱３の半環状天板３ａ１や四半分筒状支持支柱４の四半分環状天板４ａ１や棒状支持支柱５の上端面５ｂに載置され、上板部材Ｐのガタつきを抑制することができる。
【００３９】
２４は、上板部材Ｐの天板１０の裏面に垂設された円筒状リブ２２に沿って、天板１０に穿設された弧状スリットであり、上板部材Ｐに、公知のアップコンセントを配設する際には、弧状スリット２４に沿って、天板１０をカットし、天板１０に、アップコンセントが配設可能な透孔を形成することができるように構成されている。２５は、上板部材Ｐの天板１０の適当な箇所に穿設された透孔であり、上板部材Ｐの下方に配設された電気コードや光通信コード等の各種コードの有無等を視認することができるように穿設されたものである。
【００４０】
以下に、上述した構成を有するベース部材Ｂ及び上板部材Ｐの設置について説明する。上述した実施例のように、基板１が、平面形状が略正方形状に形成され、また、縦横８個ずつ、合計６４個の枡目Ａからなり、また、上板部材Ｐが、同じく、平面形状が略正方形状に形成され、また、基板１の枡目Ａと同じ枡目Ａが、縦横４個ずつ配置され、合計１６個の枡目Ａからなる例を用いて説明する。
【００４１】
先ず最初に、適当数のベース部材Ｂを、コンクリート等で形成された床基礎に敷設するが、床基礎の大きさや形状等に応じて、適宜、切断溝９等に沿って、ベース部材Ｂを適当な大きさに切断する。ベース部材Ｂを床基礎に敷設した後、図１２に一例として示されているように、上板部材Ｐに形成された４つの角部嵌合凹部１６に、それぞれ、ベース部材Ｂの角部に位置する四半分筒状支持支柱４の四半分円筒状頭部４ｂ、基板１の周縁１ｄ１、１ｄ２の中央にそれぞれ配置された半筒状支持支柱３の半円筒状頭部３ｂ及び基板１の中央に配置された筒状支持支柱２の円筒状頭部２ｂを嵌合するとともに、角部嵌合凹部１６を形成する湾曲壁１７に形成された嵌合スリット１７ａに、上記の四半分筒状支持支柱４に形成されている嵌合リブ４ｄ、上記に半筒状支持支柱３に形成されている嵌合リブ３ｄ及び上記の筒状支持支柱２に形成されている嵌合リブ２ｃを挿入する。また、上板部材Ｐの各側壁１１ａに形成された４つの中央部嵌合凹部１２に、基板１の周縁１ｄ１、１ｄ２に配置された、嵌合リブ３ｄが形成されていない半筒状支持支柱３の半円筒状頭部３ｂ及び基板１の周縁１ｄ１、１ｄ２より中央寄りに配置された、嵌合リブ２ｃが形成されていない筒状支持支柱２の円筒状頭部２ｂを嵌合する。このようにして、上板部材Ｐを、ベース部材Ｂの合計３個の筒状支持支柱２の環状天板２ａ１、合計４個の半筒状支持支柱３の半環状天板３ａ１、１個の四半分筒状支持支柱４の四半分環状天板４ａ１及び上板部材Ｐの下方に位置する合計１６本の棒状支持支柱５の上端面５ｂに載置する。
【００４２】
上述したように、上板部材Ｐは、ベース部材Ｂの３個の筒状支持支柱２の環状天板２ａ１、４個の半筒状支持支柱３の半環状天板３ａ１、１個の四半分筒状支持支柱４の四半分環状天板４ａ１及び上板部材Ｐの下方に位置する１６本の棒状支持支柱５の上端面５ｂの総計２４個の面により支持されることになり、従って、上板部材Ｐは、安定した状態で、しかも、強度的に充分な強度でもって、ベース部材Ｂに載置されることになる。
【００４３】
また、上板部材Ｐの４つの角部に形成された角部嵌合凹部１６に、それぞれ、ベース部材Ｂの四半分筒状支持支柱４の四半分円筒状頭部４ｂ、半筒状支持支柱３の半円筒状頭部３ｂ及び筒状支持支柱２の円筒状頭部２ｂが嵌合するとともに、上板部材Ｐの各側壁１１ａに形成された４つの中央部嵌合凹部１２に、それぞれ、半筒状支持支柱３の半円筒状頭部３ｂ及び筒状支持支柱２の円筒状頭部２ｂが嵌合するように構成されているので、ベース部材Ｂに載置された上板部材Ｐの移動やガタつき抑制され、上板部材Ｐを、安定した状態で、ベース部材Ｂに載置することができる。
【００４４】
更に、上板部材Ｐの各角部に形成された角部嵌合凹部１６を構成する湾曲壁１７の中央部に形成された嵌合スリット１７ａは、それぞれ、四半分筒状支持支柱４に形成された嵌合リブ４ｄ、半筒状支持支柱３に形成された嵌合リブ３ｄ及び筒状支持支柱２に形成された嵌合リブ２ｃに嵌合されているので、従って、上板部材Ｐの水平方向の移動や水平回動が、より抑制されることになり、上板部材Ｐが、より安定した状態で、ベース部材Ｂに載置されることになる。
【００４５】
更にまた、例えば、四半分筒状支持支柱４が配置されているベース部材Ｂの基板１の角部領域が、床基礎の盛り上がり部分に載置されたために、上方に傾き、従って、四半分筒状支持支柱４が、他の筒状支持支柱２や半筒状支持支柱３や棒状支持支柱５より、上方に出ているような場合にも、四半分筒状支持支柱４に載置される上板部材Ｐの角部領域Ｐ’は、折曲支点溝２３を支点に上方に折曲することができるので、上板部材Ｐの他の部分が、筒状支持支柱２の環状天板２ａ１や半筒状支持支柱３の半環状天板３ａ１や棒状支持支柱５の上端面５ｂから浮き上がるようなことがなく、確実に、筒状支持支柱２の環状天板２ａ１や半筒状支持支柱３の半環状天板３ａ１や棒状支持支柱５の上端面５ｂに載置されるので、上板部材Ｐのガタつきが抑制されることになる。
【００４６】
なお更に、本発明においては、上板部材Ｐの角部付近及び周側壁１１を形成する側壁１１ａの中央付近の合計８箇所のみが、基板１に対する占有面積が大きなベース部材Ｂの筒状支持支柱２や半筒状支持支柱３や四半分筒状支持支柱４により支持され、それ以外は、基板１に対する占有面積が小さなベース部材Ｂの棒状支持支柱５より支持されるように構成されているので、電気コードや光通信コード等の各種コードやコンセント等の電装部品等の配置スペースが大きく、余裕をもって、電装部品等を配置することができるので、電装部品等の設置作業の作業性が向上する。また、上述したように、筒状支持支柱２の下部領域に周状凹部２ａ２を形成したり、半筒状支持支柱３の下部領域に半周状凹部３ａ２を形成したり、更には、四半分筒状支持支柱４の下部領域に四半分状凹部４ａ２を形成したりすることにより、更に、ベース部材Ｂの電装部品等の配置スペースを大きくすることができる。
【００４７】
図１３には、公知の十字状コンセントＴが示されており、このような十字状コンセントＴは、図１４に示されているように、ベース部材Ｂの基板１の支柱有り交点Ｊｓを中心に、４個、配置されている反転棒状支持支柱５’の角部５ｃが、十字状コンセントＴの４つの隅部ｔ１に、当接或いは近接するように配設される。従って、十字状コンセントＴを移動の少ない、安定した状態で、ベース部材Ｂに設置することができる。
【００４８】
また、図１４に示されているように、電気コードや光通信コード等の各種コードＷを、多数配設された棒状支持支柱５や反転棒状支持支柱５’の間を通すことにより、コードＷの移動が抑制されるので、コードＷの損傷を防止することができるとともに、整然と、コードＷを配設することができる。
【００４９】
なお、上述したベース部材Ｂ及び上板部材Ｐは、それぞれ、合成樹脂で一体に成形されている。
【００５０】
【発明の効果】
本発明は、以上説明した構成を有しているので、以下に記載する効果を奏するものである。
【００５１】
上板部材を、部分的に折曲可能としたので、上板部材が、ベース部材に配設された支持支柱から浮き上がるようなことがなく、確実に、支持支柱に載置されるので、上板部材のガタつきを抑制することができる。
【００５２】
上板部材に溝を形成するという簡単な構造により、上板部材を、部分的に折曲可能としたので、上板部材を合成樹脂で一体に、しかも、安価に製造することができる。
【００５３】
上板部材の角部及び／又は側壁に嵌合凹部を形成し、該嵌合凹部に、ベース部材の支持支柱を嵌合するようにしたので、ベース部材に載置された上板部材の移動やガタつき抑制され、上板部材を、安定した状態で、ベース部材に載置することができる。
【００５４】
上板部材の角部に形成された嵌合凹部を構成する湾曲壁に、嵌合スリットを形成するとともに、該嵌合スリットに、ベース部材の支持支柱に形成された嵌合リブを挿入するようにしたので、上板部材の水平方向の移動や水平回動が、より抑制されることになり、従って、上板部材を、より安定した状態で、ベース部材に載置することができる。
【図面の簡単な説明】
【図１】図１は本発明のオフィスフロア・ユニットを構成するベース部材の斜視図である。
【図２】図２は本発明のオフィスフロア・ユニットを構成するベース部材の平面図である。
【図３】図３は本発明のオフィスフロア・ユニットを構成するベース部材の裏面図である。
【図４】図４は本発明のオフィスフロア・ユニットを構成するベース部材に配設された支持支柱の一部断面を含む斜視図である。
【図５】図５は本発明のオフィスフロア・ユニットを構成するベース部材に配設された他の支持支柱の斜視図である。
【図６】図６は本発明のオフィスフロア・ユニットを構成するベース部材に配設された更に他の支持支柱の斜視図である。
【図７】図７は本発明のオフィスフロア・ユニットを構成するベース部材に配設されたなお更に他の支持支柱の斜視図である。
【図８】図８は本発明のオフィスフロア・ユニットを構成するベース部材の部分拡大平面図である。
【図９】図９は本発明のオフィスフロア・ユニットを構成する上板部材の斜視図である。
【図１０】図１０は本発明のオフィスフロア・ユニットを構成する上板部材の裏面斜視図である。
【図１１】図１１は本発明のオフィスフロア・ユニットを構成する上板部材の裏面図である。
【図１２】図１２は本発明のオフィスフロア・ユニットを構成するベース部材に上板部材が載置された状態の斜視図である。
【図１３】図１３は本発明のオフィスフロア・ユニットに設置される一例としての十字状コンセントの斜視図である。
【図１４】図１４は一例としての十字状コンセントやコードが設置された状態の本発明のオフィスフロア・ユニットを構成するベース部材の平面図である。
【符号の説明】
Ｂ・・・・・・・・・・・・・・ベース部材
Ｐ・・・・・・・・・・・・・・上板部材
１・・・・・・・・・・・・・・基板
２・・・・・・・・・・・・・・円筒状頭部
３・・・・・・・・・・・・・・半筒状支持支柱
４・・・・・・・・・・・・・・四半分筒状支持支柱
５・・・・・・・・・・・・・・棒状支持支柱
１２・・・・・・・・・・・・・中央部嵌合凹部
１６・・・・・・・・・・・・・角部嵌合凹部
１７・・・・・・・・・・・・・湾曲壁
１７ａ・・・・・・・・・・・・嵌合スリット
２３・・・・・・・・・・・・・折曲支点溝
【図１】
0003939170.tif 000002
【図２】
0003939170.tif 000003
【図３】
0003939170.tif 000004
【図４】
0003939170.tif 000005
【図５】
0003939170.tif 000006
【図６】
0003939170.tif 000007
【図７】
0003939170.tif 000008
【図８】
0003939170.tif 000009
【図９】
0003939170.tif 000010
【図１０】
0003939170.tif 000011
【図１１】
0003939170.tif 000012
【図１２】
0003939170.tif 000013
【図１３】
0003939170.tif 000014
【図１４】
0003939170.tif 000015